(57)【要約】【課題】機器とミキサを接続する配線状況を容易に確認可能なものとする表示装置、オーディオ信号処理装置、オーディオ信号処理システムおよびオーディオ信号処理方法を提供すること。【解決手段】このように、本発明の実施形態に係るＰＡシステムは、ステージＳＴに設置された各楽器から出力されるオーディオ信号にその楽器を特定する識別情報を示す透かし情報を重畳し、ＰＡブースに設置されたコネクタＢの表示部、ミキサ３０の表示部３０１において、各オーディオ信号に重畳された透かし情報が示す識別情報の内容を表示する。【選択図】図６
2010034983.tif 000002
【特許請求の範囲】
【請求項１】
識別情報を示す透かし情報が重畳されたオーディオ信号が、各々入力される複数の入力受付手段と、
前記複数の入力受付手段に入力されたオーディオ信号の各々から、識別情報を抽出する抽出手段と、
前記抽出手段によって抽出された識別情報に応じた表示を、当該識別情報が抽出されたオーディオ信号が入力された入力受付手段に対応して行う表示手段と
を具備することを特徴とする表示装置。
【請求項２】
請求項１に記載の表示装置と、
前記入力受付手段に入力されたオーディオ信号に対して、予め設定された信号処理を施して出力する信号処理手段と
を具備することを特徴とするオーディオ信号処理装置。
【請求項３】
前記信号処理手段は、前記抽出手段によって抽出された識別情報に応じた信号処理を、当該識別情報が抽出されたオーディオ信号に対して施す
ことを特徴とする請求項２に記載のオーディオ信号処理装置。
【請求項４】
識別情報を示す透かし情報が重畳されたオーディオ信号が、各々入力される複数の入力受付手段と、
前記複数の入力受付手段に入力されたオーディオ信号の各々から、識別情報を抽出する抽出手段と、
前記抽出手段によって抽出された識別情報に応じた信号処理を、当該識別情報が抽出されたオーディオ信号に対して施して出力する信号処理手段と
を具備することを特徴とするオーディオ信号処理装置。
【請求項５】
前記信号処理手段は、信号処理を施した各オーディオ信号を合成して出力する
ことを特徴とする請求項２乃至請求項４のいずれかに記載のオーディオ信号処理装置。
【請求項６】
前記各オーディオ信号に重畳された透かし情報を除去する除去手段
をさらに具備する
ことを特徴とする請求項２乃至請求項５のいずれかに記載のオーディオ信号処理装置。
【請求項７】
前記除去手段によって透かし情報が除去されたオーディオ信号に対して、当該透かし情報を重畳する再重畳手段
をさらに具備する
ことを特徴とする請求項６に記載のオーディオ信号処理装置。
【請求項８】
前記信号処理手段は、前記除去手段によって透かし情報が除去されたオーディオ信号に対して信号処理を施し、
前記再重畳手段は、前記信号処理手段によって信号処理されたオーディオ信号に対して、当該透かし情報を重畳する
ことを特徴とする請求項７に記載のオーディオ信号処理装置。
【請求項９】
請求項２乃至請求項８のいずれかに記載のオーディオ信号処理装置と、
供給されるオーディオ信号に対して、識別情報を示す透かし情報を重畳して出力する識別情報重畳手段を具備する識別情報重畳装置と、
前記識別情報重畳手段によって出力されたオーディオ信号を伝送して、前記入力受付手段に入力する伝送手段と
を具備することを特徴とするオーディオ信号処理システム。
【請求項１０】
前記識別情報重畳装置は、
供給されるオーディオ信号が各々入力され、前記各入力受付手段に対応して設けられた複数の入力端子をさらに具備し、
前記識別情報重畳手段は、前記各入力端子に入力され、透かし情報が重畳されて出力される各オーディオ信号を合成した場合に、前記各オーディオ信号に重畳される透かし情報が互いに干渉しないようにして、前記各入力端子に入力された各オーディオ信号に対して、透かし情報を重畳する
ことを特徴とする請求項９に記載のオーディオ信号処理システム。
【請求項１１】
前記識別情報重畳装置は、
供給されるオーディオ信号が各々入力され、前記各入力受付手段に対応して設けられた複数の入力端子と、
前記各入力端子に対応して、識別情報を設定する設定手段と
をさらに具備し、
前記識別情報重畳手段が重畳する透かし情報は、供給されたオーディオ信号に対して、当該オーディオ信号が供給された入力端子に対応して設定された識別情報を示す
ことを特徴とする請求項９または請求項１０に記載のオーディオ信号処理システム。
【請求項１２】
識別情報を示す透かし情報が重畳されたオーディオ信号が、複数の入力受付手段の各々に入力される入力受付過程と、
前記複数の入力受付手段に入力されたオーディオ信号の各々から、識別情報を抽出する抽出過程と、
前記抽出過程において抽出された識別情報に応じた表示を、当該識別情報が抽出されたオーディオ信号が入力された入力受付手段に対応して行う表示過程と
を備えることを特徴とする表示方法。
【請求項１３】
識別情報を示す透かし情報が重畳されたオーディオ信号が、複数の入力受付手段の各々に入力される入力受付過程と、
前記複数の入力受付手段に入力されたオーディオ信号の各々から、識別情報を抽出する抽出過程と、
前記抽出過程において抽出された識別情報に応じた信号処理を、当該識別情報が抽出されたオーディオ信号に対して施して出力する信号処理過程と
を備えることを特徴とするオーディオ信号処理方法。
【発明の詳細な説明】
【技術分野】
【０００１】
本発明は、ＰＡ（Ｐｕｂｌｉｃ  Ａｄｒｅｓｓ）システムなどのオーディオ信号処理システムにおける機器の配線を容易にする技術に関する。
【背景技術】
【０００２】
ＰＡシステムなどにおいて用いられるミキサにおいては、ステージ上の多くのマイク、楽器などの機器から入力されるオーディオ信号を各チャンネルに割りあて、チャンネル毎にボリューム値などの様々なパラメータを制御する。このようなミキサは、多チャンネル化、多機能化が進むことにより、操作性の向上が望まれるようになり、ユーザーインターフェイスの改良が行われている（例えば、特許文献１）。
【特許文献１】特開２００６−１００９４５号公報
【発明の開示】
【発明が解決しようとする課題】
【０００３】
ところで、利用者は、ミキサの各入力チャンネルに対して、どの機器からのオーディオ信号が入力されているかを認識するためには、機器とミキサとを接続する配線を予め確認して、機器と入力チャンネルとの関係をメモしたり、ミキサに設定したりしておく必要があった。そのため、機器の数が多くなると、配線の確認に時間がかかってしまう。また、オーディオ信号に係る音が出ない場合に、配線の断線、接続ミス、接続機器からオーディオ信号が出力されていないなど、音が出ない原因を見つけるために時間がかかって、非常に煩わしいものであった。
【０００４】
本発明は、上述の事情に鑑みてなされたものであり、機器とミキサを接続する配線状況を容易に確認可能なものとする表示装置、オーディオ信号処理装置、オーディオ信号処理システム、表示方法およびオーディオ信号処理方法を提供することを目的とする。
【課題を解決するための手段】
【０００５】
上述の課題を解決するため、本発明は、識別情報を示す透かし情報が重畳されたオーディオ信号が、各々入力される複数の入力受付手段と、前記複数の入力受付手段に入力されたオーディオ信号の各々から、識別情報を抽出する抽出手段と、前記抽出手段によって抽出された識別情報に応じた表示を、当該識別情報が抽出されたオーディオ信号が入力された入力受付手段に対応して行う表示手段とを具備することを特徴とする表示装置を提供する。
【０００６】
また、本発明は、上記記載の表示装置と、前記入力受付手段に入力されたオーディオ信号に対して、予め設定された信号処理を施して出力する信号処理手段とを具備することを特徴とするオーディオ信号処理装置を提供する。
【０００７】
また、別の好ましい態様において、前記信号処理手段は、前記抽出手段によって抽出された識別情報に応じた信号処理を、当該識別情報が抽出されたオーディオ信号に対して施すことを特徴とする。
【０００８】
また、本発明は、識別情報を示す透かし情報が重畳されたオーディオ信号が、各々入力される複数の入力受付手段と、前記複数の入力受付手段に入力されたオーディオ信号の各々から、識別情報を抽出する抽出手段と、前記抽出手段によって抽出された識別情報に応じた信号処理を、当該識別情報が抽出されたオーディオ信号に対して施して出力する信号処理手段とを具備することを特徴とするオーディオ信号処理装置を提供する。
【０００９】
また、別の好ましい態様において、前記信号処理手段は、信号処理を施した各オーディオ信号を合成して出力することを特徴とする。
【００１０】
また、別の好ましい態様において、前記各オーディオ信号に重畳された透かし情報を除去する除去手段をさらに具備することを特徴とする。
【００１１】
また、別の好ましい態様において、前記除去手段によって透かし情報が除去されたオーディオ信号に対して、当該透かし情報を重畳する再重畳手段をさらに具備することを特徴とする。
【００１２】
また、別の好ましい態様において、前記信号処理手段は、前記除去手段によって透かし情報が除去されたオーディオ信号に対して信号処理を施し、前記再重畳手段は、前記信号処理手段によって信号処理されたオーディオ信号に対して、当該透かし情報を重畳することを特徴とする。
【００１３】
また、本発明は、上記記載のオーディオ信号処理装置と、供給されるオーディオ信号に対して、識別情報を示す透かし情報を重畳して出力する識別情報重畳手段を具備する識別情報重畳装置と、前記識別情報重畳手段によって出力されたオーディオ信号を伝送して、前記入力受付手段に入力する伝送手段とを具備することを特徴とするオーディオ信号処理システムを提供する。
【００１４】
また、別の好ましい態様において、前記識別情報重畳装置は、供給されるオーディオ信号が各々入力され、前記各入力受付手段に対応して設けられた複数の入力端子をさらに具備し、前記識別情報重畳手段は、前記各入力端子に入力され、透かし情報が重畳されて出力される各オーディオ信号を合成した場合に、前記各オーディオ信号に重畳される透かし情報が互いに干渉しないようにして、前記各入力端子に入力された各オーディオ信号に対して、透かし情報を重畳することを特徴とする。
【００１５】
また、別の好ましい態様において、前記識別情報重畳装置は、供給されるオーディオ信号が各々入力され、前記各入力受付手段に対応して設けられた複数の入力端子と、前記各入力端子に対応して、識別情報を設定する設定手段とをさらに具備し、前記識別情報重畳手段が重畳する透かし情報は、供給されたオーディオ信号に対して、当該オーディオ信号が供給された入力端子に対応して設定された識別情報を示すことを特徴とする。
【００１６】
また、本発明は、識別情報を示す透かし情報が重畳されたオーディオ信号が、複数の入力受付手段の各々に入力される入力受付過程と、前記複数の入力受付手段に入力されたオーディオ信号の各々から、識別情報を抽出する抽出過程と、前記抽出過程において抽出された識別情報に応じた表示を、当該識別情報が抽出されたオーディオ信号が入力された入力受付手段に対応して行う表示過程とを備えることを特徴とする表示方法を提供する。
【００１７】
また、本発明は、識別情報を示す透かし情報が重畳されたオーディオ信号が、複数の入力受付手段の各々に入力される入力受付過程と、前記複数の入力受付手段に入力されたオーディオ信号の各々から、識別情報を抽出する抽出過程と、前記抽出過程において抽出された識別情報に応じた信号処理を、当該識別情報が抽出されたオーディオ信号に対して施して出力する信号処理過程とを備えることを特徴とするオーディオ信号処理方法を提供する。
【発明の効果】
【００１８】
本発明によれば、機器とミキサを接続する配線状況を容易に確認可能なものとする表示装置、オーディオ信号処理装置、オーディオ信号処理システム、表示方法およびオーディオ信号処理方法を提供することができる。
【発明を実施するための最良の形態】
【００１９】
以下、本発明の一実施形態について説明する。
【００２０】
＜実施形態＞
本発明の実施形態に係るオーディオ信号処理システムの一例であるＰＡシステム１は、図１に示すように、ステージＳＴ上に設置された楽器類（キーボード１１０、マイク１２０、ドラム１３０、ギター１４０、ベース１５０）、識別情報重畳装置６０およびコネクタＡ１０、ＰＡブースＰＡＢに設置されたコネクタＢ２０およびミキサ３０、パワーアンプ４０、スピーカ５０を有する。コネクタＡ１０とコネクタＢ２０とは、マルチケーブル１５によって接続され、ステージＳＴからＰＡブースＰＡＢにオーディオ信号を伝送している。図１は、ＰＡシステム１の構成を示す説明図である。
【００２１】
ステージＳＴ上に設置された楽器類から出力されるオーディオ信号は、コネクタＡ１０、マルチケーブル１５およびコネクタＢ２０を介して、ＰＡブースＰＡＢに設置されたミキサ３０に供給される。そして、オーディオ信号は、ミキサ３０において、音量制御などの信号処理がなされて合成され、パワーアンプ４０で増幅されてスピーカ５０から放音される。以下、ＰＡシステム１の各構成について説明する。
【００２２】
キーボード１１０は、例えば、電子ピアノであって、演奏者の演奏に応じてオーディオ信号Ｓｋを出力する。このオーディオ信号Ｓｋには、このキーボード１１０に対応する識別情報が透かし情報として重畳されている。この例においては、オーディオ信号Ｓｋに重畳されている透かし情報が示す識別情報は、「キーボード」を示す情報である。なお、識別情報は、キーボード１１０の型番、名称など、キーボード１１０が持つ固有のものであってもよい。また、これらが重複したものであってもよい。
【００２３】
オーディオ信号Ｓｋに透かし情報として重畳する音声透かしの方法は、聴感上影響が少ないスペクトラム拡散などを用いた公知の様々な方法を用いることができる。様々な方法のうち、他のオーディオ信号と合成しても情報が残るような多重重畳可能な方法、例えば、Ｍ系列、Ｇｏｌｄ系列を用いた擬似ノイズ信号を用いた方法を用いることが望ましい。
【００２４】
また、透かし情報が重畳される周波数帯域については、非可聴域とすることが望ましいが、ＰＡシステム１におけるオーディオ信号の経路においては、使用周波数帯域が可聴域のみであると想定されていることにより非可聴域を遮断してしまう構成が含まれる場合もある。その場合には可聴域を用いればよく、その場合には、高周波数帯域（例えば１０ｋＨｚ以上）に透かし情報を重畳して、聴感上の影響を少なくすることが望ましい。以下の説明において、透かし情報をオーディオ信号に重畳する方法については、上記の説明と同様に行なえばよいから、説明を省略する。
【００２５】
マイク１２０は、マイクロフォンなどの収音手段であって、収音した音をオーディオ信号Ｓｍとして出力する。このオーディオ信号Ｓｍには、このマイク１２０に対応する識別情報「マイク」が透かし情報として重畳されている。このようにマイク１２０は、通常のマイクロフォンとは異なり、収音した音を示すオーディオ信号に対して透かし情報を重畳する構成を有している。
【００２６】
ドラム１３０は、ドラムセットと、ドラムセットの各打楽器を打つことにより発生する音を収音するマイクロフォンが設けられている。このマイクロフォンはマイク１２０と同様に収音した音をオーディオ信号Ｓｄとして出力し、このオーディオ信号Ｓｄには、識別情報「ドラム」が透かし情報として重畳されている。
【００２７】
ギター１４０は、例えば、エレクトリックギターであり、演奏者の演奏に応じてオーディオ信号Ｓｇを出力する。ベース１５０は、エレクトリックベースであり、演奏者の演奏に応じてオーディオ信号Ｓｂを出力する。オーディオ信号Ｓｇ、Ｓｂは上記オーディオ信号Ｓｋ，Ｓｍ、Ｓｄとは異なり、ギター１４０、ベース１５０から出力されるときにおいては、識別情報は重畳されていない。
【００２８】
識別情報重畳装置６０−１、６０−２（以下、それぞれを区別しない場合には識別情報重畳装置６０という）は、それぞれギター１４０、ベース１５０からオーディオ信号Ｓｇ、Ｓｂが供給され、識別情報を示す透かし情報を重畳して出力する。ここで、識別情報重畳装置６０について、図２、図３を用いて説明する。図２は、識別情報重畳装置６０の外観を示す図である。図３は、識別情報重畳装置６０の構成を示すブロック図である。
【００２９】
まず、識別情報重畳装置６０の外観について説明する。図２に示すように、識別情報重畳装置６０は、ケーブルが接続される端子であって、オーディオ信号が入力される入力端子６０２−１、ケーブルが接続される端子であって、入力端子に入力されたオーディオ信号に対して、透かし情報を重畳したオーディオ信号を出力する出力端子６０２−２を、透かし情報として重畳する識別情報の内容を表示する表示部６０１および操作部６０５を有する。
【００３０】
次に、識別情報重畳装置６０の構成について説明する。図３に示すように、操作部６０５は、透かし情報として重畳すべき識別情報の内容を決定するための操作子を有し、利用者の操作により決定される識別情報の内容を示す信号を制御部６０８に出力する。この例においては、識別情報として複数の候補となる内容から一の内容を選択するようになっているが、識別情報の内容として文字を入力して決定するようにしてもよい。
【００３１】
記憶部６０９は、不揮発性メモリなどの記憶手段であって、上述した識別情報の候補となる内容が記憶されている。制御部６０８は、操作部６０５から入力される信号に対応する内容の識別情報を記憶部６０９から読み出し、読み出した識別情報の内容を、表示部６０１に表示させる制御を行うとともに、重畳部６０６に対して、識別情報の内容を設定する。
【００３２】
重畳部６０６は、入力端子６０２−１から入力されたオーディオ信号に対して、制御部６０８に設定された識別情報を示す透かし情報を重畳して、出力端子６０２−２に出力する。このようにして、識別情報重畳装置６０は、入力されたオーディオ信号に対して識別情報を示す透かし情報を重畳して出力する。
【００３３】
この例においては、識別情報重畳装置６０−１は、ギター１４０から出力されるオーディオ信号Ｓｇが入力され、識別情報「ギター」を透かし情報として重畳して出力するように設定されている。また、識別情報重畳装置６０−２は、ベース１５０から出力されるオーディオ信号Ｓｂが入力され、識別情報「ベース」を透かし情報として重畳して出力するように設定されている。以上が、識別情報重畳装置６０の説明である。
【００３４】
図１に戻って説明を続ける。コネクタＡ１０は、ケーブルが接続されオーディオ信号が入力される複数の入力端子を有し、入力される各オーディオ信号をマルチケーブル１５によりコネクタＢ２０に伝送するコネクタＢＯＸである。この例においては、コネクタＡ１０の入力端子は５つ（５チャンネル）であり、各々の入力端子には、キーボード１１０、マイク１２０、ドラム１３０、識別情報重畳装置６０−１、６０−２から出力されるオーディオ信号Ｓｋ、Ｓｍ、Ｓｄ、Ｓｇ、Ｓｂが入力され、各々がマルチケーブル１５を介してコネクタＢ２０に伝送される。
【００３５】
次に、コネクタＢ２０について、図４、図５を用いて説明する。図４は、コネクタＢ２０の外観を示す図である。図５は、コネクタＢ２０の構成を示すブロック図である。
【００３６】
まず、コネクタＢ２０の外観について説明する。図４に示すように、コネクタＡ１０との間で接続されるマルチケーブル１５を介して、各オーディオ信号の入力を受け付ける一方、ケーブルが接続される出力端子２０２−１、２０２−２、２０２−３、２０２−４、２０２−５（以下、それぞれを区別しない場合は出力端子２０２という）から、それぞれ出力される。また、各出力端子２０２から出力される各オーディオ信号に重畳された透かし情報が示す識別情報の内容が、各出力端子２０２に対応して設けられた表示部２０１−１、２０１−２、２０１−３、２０１−４、２０１−５（以下、それぞれを区別しない場合は表示部２０１という）に表示される。
【００３７】
次に、コネクタＢ２０の構成について説明する。図５に示すように、マルチケーブル１５によって、コネクタＡ１０から伝送された各オーディオ信号は、各出力端子２０２から出力される。出力端子２０２−１にマルチケーブル１５から供給されるオーディオ信号（この例においては、オーディオ信号Ｓｋとする）は、抽出部２０３−１に対しても入力される。
【００３８】
抽出部２０３−１は、入力されたオーディオ信号Ｓｋに重畳された透かし情報を抽出し、抽出した透かし情報が示す識別情報を出力する。表示制御部２０４−１は、抽出部２０３−１から出力された識別情報の内容（「キーボード」）を、表示部２０１−１に表示させるように制御する。ここで、抽出部２０３−２、２０３−３、２０３−４、２０３−５は、抽出部２０３−１と同様な機能を有し、入力されるオーディオ信号は、それぞれオーディオ信号Ｓｍ、Ｓｂ、Ｓｄ、Ｓｇとなっている。
【００３９】
また、表示制御部２０４−２、２０４−３、２０４−４、２０４−５は、表示制御部２０４−１と同様な機能を有し、表示部２０１−２、２０１−３、２０１−４、２０１−５に、それぞれ「マイク」、「ベース」、「ドラム」、「ギター」と表示させるように制御する。なお、ケーブルの断線、楽器類の故障などによりコネクタＢ２０にオーディオ信号が伝送されず、オーディオ信号が入力されていない場合には、表示部２０１の表示は未表示としてもよいし、伝送されていない旨の表示をしてもよい。
【００４０】
このように、ステージＳＴに設置されたコネクタＡ１０の複数の入力端子と、複数の楽器類とをそれぞれ接続するケーブルがどのような接続関係にあっても、ＰＡブースＰＡＢに設置されたコネクタＢ２０においては、各出力端子２０２から出力されるオーディオ信号が、どの楽器から出力されたものであるかについて、各出力端子２０２に対応して設置された各表示部２０１の表示を確認することにより認識できる。また、ケーブルの断線、楽器類の故障などによりコネクタＢ２０にオーディオ信号が伝送されていないときには、その状況を認識することもできる。以上が、コネクタＢ２０の説明である。
【００４１】
図１に戻って説明を続ける。ミキサ３０は、オーディオ信号処理装置の一例であって、コネクタＢ２０の各出力端子２０２とケーブルで接続され、コネクタＢ２０の各出力端子２０２から出力されるオーディオ信号の音量レベルを調節してミキシングしてから出力する。ここで、ミキサ３０について、図６、図７を用いて説明する。図６は、ミキサ３０の外観を示す図である。図７は、ミキサ３０の構成を示すブロック図である。
【００４２】
まず、ミキサ３０の外観について説明する。ミキサ３０は、図６に示すように、ケーブルが接続され、オーディオ信号が入力される入力端子３０２−１、３０２−２、３０２−３、３０２−４、３０２−５（以下、それぞれを区別しない場合には、入力端子３０２という）、および各オーディオ信号を合成したオーディオ信号Ｓｔを出力する出力端子３０２−６を有する。すなわち、５チャンネルの入力を受け付ける。
【００４３】
また、ミキサ３０は、各入力端子３０２に入力された各チャンネルのオーディオ信号のボリュームレベルを指定するための操作子であって、各チャンネルに対応した操作子をもつ操作部３０５−１、３０５−２、３０５−３、３０５−４、３０５−５（以下、それぞれを区別しない場合には、操作部３０５という）を有するとともに、オーディオ信号Ｓｔのボリュームレベルを指定するための操作子である操作部３０５−６を有する。
【００４４】
さらに、ミキサ３０は、各操作部３０５の操作子、すなわち各入力端子３０２に対応して設けられ、各入力端子３０２に入力された各チャンネルのオーディオ信号に重畳された透かし情報が示す識別情報の内容をそれぞれ表示する表示部３０１−１、３０１−２、３０１−３、３０１−４、３０１−５（以下、それぞれを区別しない場合には、表示部３０１という）を有する。なお、ＰＡブースＰＡＢにおいて、表示部２０１または表示部３０１のいずれか一方があれば、識別情報の内容を確認できるから、表示部３０１が存在する場合には、コネクタＢ２０における表示部２０１は無くてもよく、逆に、コネクタＢ２０における表示部２０１が存在すれば、表示部３０１は無くてもよい。
【００４５】
次に、ミキサ３０の構成について説明する。図７に示すように、入力端子３０２−１に入力されたオーディオ信号（この例においては、オーディオ信号Ｓｋ）は、抽出部３０３−１および信号処理部３０６−１に出力される。抽出部３０３−１は、入力されたオーディオ信号Ｓｋに重畳された透かし情報を抽出し、抽出した透かし情報が示す識別情報を出力する。表示制御部３０４−１は、抽出部３０３−１から出力された識別情報の内容（「キーボード」）を、表示部３０１−１に表示させるように制御する。このように、抽出部３０３−１、表示制御部３０４−１および表示部３０１−１は、コネクタＢ２０における抽出部２０３−１、表示制御部２０４−１および表示部２０１−１のそれぞれと同様な機能を有している。
【００４６】
同様に、抽出部３０３−２、３０３−３、３０３−４、３０３−５は、抽出部３０３−１と同様な機能を有し、入力されるオーディオ信号は、それぞれオーディオ信号Ｓｍ、Ｓｂ、Ｓｄ、Ｓｇとなっている。また、表示制御部３０４−２、３０４−３、３０４−４、３０４−５は、表示制御部３０４−１と同様な機能を有し、表示部３０１−２、３０１−３、３０１−４、３０１−５に、それぞれ「マイク」、「ベース」、「ドラム」、「ギター」と表示させるように制御する。なお、ケーブルの断線、楽器類の故障などによりミキサ３０までオーディオ信号が伝送されず、オーディオ信号が入力されていない場合には、表示部３０１の表示は未表示としてもよいし、伝送されていない旨の表示をしてもよい。
【００４７】
信号処理部３０６−１は、操作部３０５−１の操作子によって指示されるボリュームレベルに対応した増幅率が設定され、設定された増幅率で入力端子３０２−１に入力されたオーディオ信号Ｓｋを増幅する信号処理を行って出力する。信号処理部３０６−２、３０６−３、３０６−４、３０６−５についても、信号処理部３０６−１と同様に、操作部３０５−２、３０５−３、３０５−４、３０５−５の操作子によって指示されるボリュームレベルに対応した増幅率が、それぞれ設定され、設定された増幅率で、オーディオ信号Ｓｍ、Ｓｂ、Ｓｄ、Ｓｇを増幅して出力する。
【００４８】
加算部３０７は、信号処理部３０６−１、３０６−２、３０６−３、３０６−４、３０６−５（以下、それぞれを区別しない場合には、信号処理部３０６という）から出力される各チャンネルのオーディオ信号Ｓｋ、Ｓｍ、Ｓｂ、Ｓｄ、Ｓｇを加算することにより合成（ミキシング）し、オーディオ信号Ｓｔとして出力する。
【００４９】
信号処理部３０６−６は、操作部３０５−６の操作子によって指示されるボリュームレベルに対応した増幅率が設定され、設定された増幅率で加算部３０７から出力されるオーディオ信号Ｓｔを増幅する信号処理を行って、出力端子３０２−６へ供給する。
【００５０】
このように、ステージＳＴに設置されたコネクタＡ１０の複数の入力端子と、複数の楽器類とをそれぞれ接続するケーブルがどのような接続関係にあっても、ＰＡブースＰＡＢに設置されたミキサ３０においては、各入力端子３０２に入力される各チャンネルのオーディオ信号のボリュームレベルを指定する操作子に対応して配置された各表示部３０１の表示を確認することによって、各操作子の操作によりボリュームレベルが指定されるオーディオ信号の出力元の楽器類を認識することができる。また、ケーブルの断線、楽器類の故障などによりミキサ３０にオーディオ信号が伝送されていないときには、その状況を認識することもできる。以上が、ミキサ３０の説明である。
【００５１】
図１に戻って説明を続ける。パワーアンプ４０は、ミキサ３０の出力端子３０２−６から出力されるオーディオ信号Ｓｔを予め設定された増幅率で増幅し、スピーカ５０に出力する。スピーカ５０は、パワーアンプ４０において増幅されたオーディオ信号Ｓｔを放音する。
【００５２】
このように、本発明の実施形態に係るＰＡシステム１は、ステージＳＴに設置された各楽器から出力されるオーディオ信号にその楽器を特定する識別情報を示す透かし情報を重畳し、ＰＡブースＰＡＢに設置されたコネクタＢ２０の表示部２０１、ミキサ３０の表示部３０１において、各オーディオ信号に重畳された透かし情報が示す識別情報の内容を表示する。
【００５３】
そのため、ステージＳＴに設置されたコネクタＡ１０の複数の入力端子と、複数の楽器類とをそれぞれ接続するケーブルがどのような接続関係にあっても、ＰＡブースＰＡＢにおいて、その接続関係を認識することができ、また、ボリュームレベルの制御をすべきオーディオ信号の出力元の楽器類を認識して、対応する操作子を操作することにより、そのボリュームレベルを指定することができる。また、ケーブルの断線、楽器類の故障などによりオーディオ信号が伝送されていないときには、ＰＡブースＰＡＢにおいてその状況を認識することもできる。
【００５４】
以上、本発明の実施形態について説明したが、本発明は以下のように、さまざまな態様で実施可能である。
【００５５】
＜変形例１＞
上述した実施形態においては、ミキサ３０の各信号処理部３０６および信号処理部３０６−６においては、入力されるオーディオ信号に対する信号処理として、設定された増幅率での増幅処理を行っていたが、他の信号処理、例えば、設定された周波数特性のイコライジング処理、フィルタ処理などであってもよく、これらの複数の処理を行ってもよい。この場合には、各操作部３０５が、これらの信号処理を行うために必要なパラメータを設定する操作子を有するようにすればよい。なお、このような設定には、信号処理を行わないとする設定を行うこともでき、このように設定されると、各信号処理部３０６および信号処理部３０６−６は、入力されたオーディオ信号をそのまま出力するものとなる。
【００５６】
＜変形例２＞
上述した実施形態におけるコネクタＡ１０について、さらに識別情報重畳装置６０の機能を持たせたコネクタＡ１０ａとしてもよい。コネクタＡ１０ａについて図８、図９を用いて説明する。図８は、コネクタＡ１０ａの外観を示す図である。図７は、コネクタＡ１０ａの構成を示すブロック図である。
【００５７】
まず、コネクタＡ１０ａの外観について説明する。コネクタＡ１０ａは、ケーブルが接続され、オーディオ信号が入力される入力端子１０２−１、１０２−２、１０２−３、１０２−４、１０２−５（以下、それぞれを区別しない場合は入力端子１０２という）、および各入力端子に入力されたオーディオ信号に識別情報を示す透かし情報を重畳したオーディオ信号をコネクタＢ２０に伝送するマルチケーブル１５を有する。また、各入力端子に入力されたオーディオ信号に対して重畳する透かし情報が示す識別情報の内容を、各入力端子に対応して表示する表示部１０１−１、１０１−２、１０１−３、１０１−４、１０１−５（以下、それぞれを区別しない場合は表示部１０１という）、および操作部１０５を有する。
【００５８】
次に、コネクタＡ１０ａの構成について説明する。操作部１０５は、各入力端子１０２に入力される各オーディオ信号に対して、透かし情報として重畳すべき識別情報の内容をそれぞれ決定するための操作子を有し、利用者の操作により決定される各入力端子１０２に入力される各オーディオ信号に対応する識別情報の内容を示す信号を制御部１０８に出力する。この例においては、識別情報として複数の候補となる内容から一の内容を選択するようになっているが、識別情報の内容として文字を入力して決定するようにしてもよい。
【００５９】
記憶部１０９は、不揮発性メモリなどの記憶手段であって、上述した識別情報の候補となる内容が記憶されている。制御部１０８は、操作部１０５から入力される信号に対応する内容の識別情報を、各入力端子１０２に対応させて記憶部１０９から読み出し、読み出した識別情報の内容を、各入力端子１０２に対応する表示部１０１に表示させる制御を行うとともに、各入力端子１０２に対応する重畳部１０６−１、１０６−２、１０６−３、１０６−４、１０６−５（以下、それぞれを区別しない場合は重畳部１０６という）に対して、識別情報の内容を設定する。
【００６０】
各重畳部１０６は、各入力端子１０２に入力されたオーディオ信号に対して、制御部１０８に設定された識別情報を示す透かし情報を重畳して出力する。このようにして、コネクタＡ１０ａは、各入力端子１０２に入力されたオーディオ信号に対して識別情報を示す透かし情報を重畳して出力する。この例においては、コネクタＡ１０ａは、入力端子１０２−１、１０２−２、１０２−３、１０２−４、１０２−５に入力された各オーディオ信号に対して、それぞれ、識別情報「キーボード」、「マイク」、「ベース」、「ドラム」、「ギター」を透かし情報として重畳して出力する。
【００６１】
このようにすると、コネクタＡ１０ａの入力端子１０２に入力されるオーディオ信号に対して識別情報を示す透かし情報を予め重畳しておく必要が無く、汎用の楽器類を用いることができる。
【００６２】
また、このようなコネクタＡ１０ａは、さらに別の機能を有するようにすることもできる。一例として、各重畳部１０６は、各重畳部１０６から出力されるオーディオ信号を加算合成しても、それぞれのオーディオ信号に重畳された透かし情報が互いに干渉しないように透かし情報を重畳、例えば、周波数帯域を異ならせて重畳するようにしてもよい。この場合、コネクタＢ２０、ミキサ３０において、透かし情報を抽出できるように、コネクタＡ１０ａにおける重畳方法を予め設定しておくことが望ましい。
【００６３】
コネクタＡ１０ａとコネクタＢ２０とは接続関係が予め決まっているから、例えば、重畳部１０６−１における重畳方法を抽出部２０３−１に設定しておけば、透かし情報を抽出することができる。また、コネクタＡ１０ａとミキサ３０と接続関係は必ずしも決まったものではないが、例えば各抽出部３０３−１、３０３−２、・・・、３０３−５において、全ての重畳方法に対応して透かし情報を抽出できるようにしておけばよい。
【００６４】
このようにすると、ミキサ３０から出力されるオーディオ信号Ｓｔにおいても、合成前の各オーディオ信号に重畳された透かし情報が残るから、オーディオ信号Ｓｔから透かし情報を抽出して識別情報を認識すれば、オーディオ信号Ｓｔの合成前の各オーディオ信号の出力元となる楽器類を特定することもできる。
【００６５】
また、別の例として、実施形態のように入力端子１０２に入力されるオーディオ信号に対して、透かし情報が重畳されたものである場合に、さらに別の識別情報を示す透かし情報を重畳するようにしてもよく、例えば、オーディオ信号が入力された入力端子１０２を示すチャンネル番号などの識別情報を示すものを重畳してもよい。このようにして、出力されるオーディオ信号は、複数の識別情報を示す透かし情報が重畳されたものとなる。
【００６６】
＜変形例３＞
上述した実施形態においては、ミキサ３０において、各オーディオ信号に重畳された透かし情報については、抽出を行うだけであったが、合成後のオーディオ信号Ｓｔにおいても透かし情報を用いるために、合成前の各オーディオ信号に重畳された透かし情報を一旦除去し、オーディオ信号Ｓｔに対して再重畳するようにしてもよい。この場合には、ミキサ３０を図１０に示すような構成のミキサ３０ａとすればよい。図１０は、ミキサ３０ａの構成のうち、入力端子３０２−１から入力されるオーディオ信号が処理される経路上の構成を抜き出したブロック図である。
【００６７】
図１０に示すように、抽出部３０３ａ−１は、入力されたオーディオ信号に重畳された透かし情報を抽出し、抽出した透かし情報が示す識別情報を、表示制御部３０４−１に出力するとともに、再重畳部３１１ａ−６にも出力する。除去部３１０−１は、入力端子３０２−１から信号処理部３０６−１の信号経路の間に設けられ、入力されるオーディオ信号に重畳された透かし情報を除去する。
【００６８】
再重畳部３１１ａ−６は、各入力端子３０２に対応する抽出部３０３ａ−１、３０３ａ−２、・・・、３０３ａ−５から識別情報が入力される。そして、再重畳部３１１ａ−６は、信号処理部３０６−６から出力されるオーディオ信号Ｓｔに対して、入力された全ての識別情報をまとめた内容を示す透かし情報を重畳して、出力端子３０２−６に供給する。他の構成については実施形態におけるミキサ３０と同様であるから説明を省略する。このようにすると、合成後のオーディオ信号Ｓｔについて、合成前の各オーディオ信号の出力元を示す楽器類を示す透かし情報を重畳することができる。
【００６９】
なお、合成後のオーディオ信号Ｓｔについて、透かし情報が不要である場合には、再重畳部３１１ａ−６は不要である。この場合、除去部３１０−１によりオーディオ信号から透かし情報が除去されているから、オーディオ信号の音質を向上させることができる。また、除去部３１０−１については、信号処理部３０６−１から加算部３０７の信号経路の間に設けられてもよいが、信号処理部３０６−１における信号処理前である方が、信号処理による影響を受けないから透かし情報の除去の効率がよい。
【００７０】
＜変形例４＞
上述した実施形態においては、ミキサ３０において、各オーディオ信号に重畳された透かし情報については、抽出を行うだけであったが、各入力端子３０２に入力される各オーディオ信号に重畳された透かし情報を一旦除去し、信号処理後に再重畳するようにしてもよい。この場合には、ミキサ３０を図１１に示すような構成のミキサ３０ｂとすればよい。図１１は、ミキサ３０ｂの構成のうち、入力端子３０２−１から入力されるオーディオ信号が処理される経路上の構成を抜き出したブロック図である。
【００７１】
図１１に示すように、抽出部３０３ｂ−１は、入力されたオーディオ信号に重畳された透かし情報を抽出し、抽出した透かし情報が示す識別情報を、表示制御部３０４−１に出力するとともに、再重畳部３１１ｂ−１にも出力する。除去部３１０−１は、入力端子３０２−１から信号処理部３０６ｂ−１の信号経路の間に設けられ、入力されるオーディオ信号に重畳された透かし情報を除去する。
【００７２】
再重畳部３１１ｂ−１は、信号処理部３０６ｂ−１から出力されるオーディオ信号に対して、抽出部３０３ｂ−１から入力された識別情報を示す透かし情報を重畳する。このとき、再重畳部３１１ｂ−１は、変形例２において示したように、他の再重畳部３１１ｂ−２、３１１ｂ−３、３１１ｂ−４、３１１ｂ−５から出力されるオーディオ信号を加算合成しても、それぞれのオーディオ信号に重畳された透かし情報が互いに干渉しないように透かし情報を重畳し、他の再重畳部３１１ｂ−２、３１１ｂ−３、３１１ｂ−４、３１１ｂ−５においても同様に、透かし情報が互いに干渉しないように透かし情報を重畳する。なお、再重畳部３１１ｂ−１は、信号処理部３０６ｂ−１における信号処理の内容、例えば増幅率、ボリュームレベル、付加する音響効果（リバーブなど）などの情報を取得して、その内容を識別情報に加えておいてもよい。
【００７３】
他の構成については実施形態におけるミキサ３０と同様であるから説明を省略する。このようにすると、合成後のオーディオ信号Ｓｔについても、合成前の各オーディオ信号の出力元を示す楽器類を示す透かし情報を重畳されたものとすることができる。
【００７４】
＜変形例５＞
上述した実施形態においては、ミキサ３０は、操作部３０５の操作子の操作により各オーディオ信号のボリュームレベルを指定していたが、オーディオ信号に重畳された透かし情報が示す識別情報の内容に応じて、ボリュームレベルなどの信号処理内容を指定するようにしてもよい。この場合には、ミキサ３０を図１２に示すような構成のミキサ３０ｃとすればよい。図１２は、ミキサ３０ｃの構成のうち、入力端子３０２−１から入力されるオーディオ信号が処理される経路上の構成を抜き出したブロック図である。
【００７５】
図１２に示すように、抽出部３０３ｃ−１は、入力されたオーディオ信号に重畳された透かし情報を抽出し、抽出した透かし情報が示す識別情報を、表示制御部３０４−１に出力するとともに、制御部３０８にも出力する。記憶部３０９は、不揮発性メモリなどの記憶手段であって、識別情報の内容（「キーボード」、「マイク」など）と信号処理部３０６における信号処理の内容（ボリュームレベル）とを対応付けたテーブルを記憶している。
【００７６】
操作部３０５ｃ−１は、実施形態における操作部３０５−１の操作子が、制御部３０８の制御によって移動するように構成されている。すなわち、利用者の操作だけでなく、制御部３０８の制御によってもボリュームレベルが指定されるようになっている。
【００７７】
制御部３０８は、抽出部３０３ｃ−１から入力された識別情報の内容と対応する信号処理の内容であるボリュームレベルを記憶部３０９から読み出し、読み出したボリュームレベルを指定するように、操作部３０５ｃ−１における操作子を移動させる。制御部３０８は、同様に、抽出部３０３ｃ−２、３０３ｃ−３、３０３ｃ−４、３０３ｃ−５から入力されたそれぞれの識別情報の内容に対応するボリュームレベルを記憶部３０９から読み出し、それぞれ読み出したボリュームレベルを指定するように、操作部３０５ｃ−２、３０５ｃ−３、３０５ｃ−４、３０５ｃ−５における操作子を移動させる。
【００７８】
また、制御部３０８は、抽出部３０３ｃ−１、３０３ｃ−２、３０３ｃ−３、３０３ｃ−４、３０３ｃ−５（以下、それぞれを区別しない場合には、抽出部３０３ｃという）から入力された識別情報の組み合わせに応じたボリュームレベルを指定するように、操作部３０５ｃ−６の操作子を移動させてもよい。この場合は、記憶部３０９に識別情報の組み合わせと信号処理の内容とを対応付けたテーブルを記憶しておけばよく、制御部３０８は、この対応関係に応じて、操作部３０５ｃ−６の操作子を移動させればよい。
【００７９】
ここで、制御部３０８による制御は、最初に各抽出部３０３ｃから識別情報が入力されたとき、または図示せぬ操作手段の操作がなされたときに、行うようにしてもよい。このようにすれば、制御部３０８によって移動された操作子の位置は初期設定として用いられ、その後は、利用者の操作によって、指示するボリュームレベルを変更することができる。他の構成については実施形態におけるミキサ３０と同様であるから説明を省略する。
【００８０】
また、制御部３０８は、操作部３０５ｃ−１の操作子を移動させるのではなく、信号処理部３０６−１の信号処理の内容を直接制御してもよい。この場合は、記憶部３０９のテーブルはボリュームレベルではなく増幅率となっている。そして、操作部３０５ｃ−１の操作子によるボリュームレベルの指示については、信号処理部３０６−１は、無効なものとして取り扱ってもよいし、増幅率を相対変化させる指示として取り扱ってもよい。
【００８１】
なお、変形例１に示すように、信号処理部３０６について、ボリュームレベルに応じた増幅処理以外の信号処理、例えばイコライジング処理を行う場合には、記憶部３０９のテーブルは、識別情報とイコライジング用の周波数特性を示すパラメータとを対応付けたものとすればよい。識別情報に応じた信号処理は、時刻の経過とともに変化していくものであってもよい。この場合は、記憶部３０９のテーブルは、識別情報と信号処理の内容の変化を示すシーケンスデータとを対応付けたものとすればよい。シーケンスデータの開始タイミングは、図示せぬ操作手段を操作して、開始を指示したタイミングとすればよい。このように、入力されたオーディオ信号に重畳された透かし情報が示す識別情報に応じた信号処理を、そのオーディオ信号に対して施すことができる。この場合、表示部３０１は、無くてもよい。
【００８２】
＜変形例６＞
上述した実施形態においては、パワーアンプ４０は、ミキサ３０から入力されるオーディオ信号Ｓｔを増幅するものであったが、表示部を設け、変形例２、３に示すように、オーディオ信号Ｓｔに透かし情報が重畳されているときに、その透かし情報を抽出する抽出部と、抽出した透かし情報が示す識別情報を表示部に表示させる表示制御部を有するようにしてもよい。
【００８３】
＜変形例７＞
上述した実施形態においては、ミキサ３０の表示部３０１は、複数設けられていたが、一の表示部として表示領域を複数に分けて表示するようにしてもよい。例えば、図１３に示すような外観のミキサ３０ｄとしてもよい。ミキサ３０ｄは、表示部３０１０ｄを有し、表示領域３０１ｄ−１、３０１ｄ−２、・・・、３０１ｄ−５に分けて表示する。この場合は、表示部３０１０ｄの表示内容を制御する表示制御部を設け、この表示制御部は、抽出部３０３−１、３０３−２、・・・、３０３−５から出力される識別情報に応じて、表示領域３０１ｄ−１、３０１ｄ−２、・・・、３０１ｄ−５の表示内容を制御し、それぞれ対応する識別情報の内容を表示させるようにすればよい。
【００８４】
別の態様として、図１４に示すような外観のミキサ３０ｅとしてもよい。ミキサ３０ｅは、表示部３０１０ｅを有し、入力チャンネルと対応付けて表示する。ここで、入力チャンネルとは、Ｃｈ１、２、・・・、５が入力端子３０２−１、３０２−２、・・・、３０２−５にそれぞれに対応する。この場合は、表示部３０１０ｅの表示内容を制御する表示制御部を設け、この表示制御部は、抽出部３０３−１、３０３−２、・・・、３０３−５から出力される識別情報の内容と、各チャンネルとを対応付けて、表示部３０１０ｅに表示させるようにすればよい。
【００８５】
このように、各入力端子３０２に対応して、識別情報の表示がされていれば、どのような表示態様であってもよい。これは、コネクタＢ２０の表示部２０１についても同様である。
【００８６】
＜変形例８＞
上述した実施形態においては、ミキサ３０の表示部３０１は、識別情報の内容が表示されるようになっていたが、識別情報の内容に対応するものであれば、どのような表示であってもよい。この場合は、識別情報の内容と表示内容とを対応付けるテーブルを記憶する記憶部を設け、例えば、表示部３０１−１の表示内容を制御する表示制御部３０４−１は、抽出部３０３−１から入力された識別情報に対応する表示内容を記憶部から読み出して、読み出した表示内容で表示部３０１−１を表示させるようにすればよい。これは、コネクタＢ２０の表示部２０１についても同様である。
【００８７】
＜変形例９＞
上述した実施形態において、オーディオ信号に重畳される透かし情報は、常時重畳されたものであってもよいし、定期的に重畳されるものであってもよい。また、重畳する機能を有する各機器において、操作部の操作などにより重畳の指示があったときに重畳するようにしてもよい。
【００８８】
＜変形例１０＞
上述した実施形態において、識別情報重畳装置６０について、図１３に示すように、ステレオ対応の識別情報重畳装置６０ａとしてもよい。この場合、入力端子６０２−１、出力端子６０２−２に代えて、Ｌｃｈ用入力端子６０２−１Ｌ、Ｒｃｈ用入力端子６０２−１Ｒ、およびＬｃｈ用出力端子６０２−２Ｌ、Ｒｃｈ用出力端子６０２−２Ｒを設ければよい。
【００８９】
識別情報重畳装置６０ａの構成について、図１４を用いて説明する。重畳部６０６ａは、Ｌｃｈ用入力端子６０２−１Ｌから入力されたオーディオ信号に対して、制御部６０８に設定された識別情報「キーボード」に「Ｌｃｈ」を加えた識別情報「キーボードＬｃｈ」を示す透かし情報を重畳して、Ｌｃｈ用出力端子６０２−２Ｌに出力する。一方、重畳部６０６ａは、Ｒｃｈ用入力端子６０２−１Ｒから入力されたオーディオ信号に対して、制御部６０８に設定された識別情報「キーボード」に「Ｒｃｈ」を加えた識別情報「キーボードＲｃｈ」を示す透かし情報を重畳して、Ｒｃｈ用出力端子６０２−２Ｒに出力する。他の構成については、実施形態における識別情報重畳装置６０と同様な構成であるから説明を省略する。
【００９０】
したがって、楽器類、例えば、キーボード１１０がステレオ２ｃｈに対応している場合であって、出力するオーディオ信号に透かし情報を重畳する機能を有さないときに、複数の識別情報重畳装置６０を用いて、Ｌｃｈ、Ｒｃｈのオーディオ信号それぞれに透かし情報を重畳しなくても、このような識別情報重畳装置６０ａ単体で透かし情報を重畳することもできる。
【図面の簡単な説明】
【００９１】
【図１】実施形態に係るＰＡシステムの構成を示すブロック図である。
【図２】実施形態に係る識別情報重畳装置の外観図である。
【図３】実施形態に係る識別情報重畳装置の構成を示すブロック図である。
【図４】実施形態に係るコネクタＢの外観図である。
【図５】実施形態に係るコネクタＢの構成を示すブロック図である。
【図６】実施形態に係るミキサの外観図である。
【図７】実施形態に係るミキサの構成を示すブロック図である。
【図８】変形例２に係るコネクタＡの外観図である。
【図９】変形例２に係るコネクタＡの構成を示すブロック図である。
【図１０】変形例３に係るミキサの構成を示すブロック図である。
【図１１】変形例４に係るミキサの構成を示すブロック図である。
【図１２】変形例５に係るミキサの構成を示すブロック図である。
【図１３】変形例７に係るミキサの外観図である。
【図１４】変形例７に係るミキサの外観図である。
【図１５】変形例１０に係る識別情報重陽装置の外観図である。
【図１６】変形例１０に係る識別情報重陽装置の構成を示すブロック図である。
【符号の説明】
【００９２】
１…ＰＡシステム、１０，１０ａ…コネクタＡ、１０１−１，１０１−２，・・・，１０１−５…表示部、１０２−１，１０２−２，・・・，１０２−５…入力端子、１０５…操作部、１０６−１，１０６−２，・・・，１０６−５…重畳部、１０８…制御部、１０９…記憶部、１５…マルチケーブル、２０…コネクタＢ、２０１−１，２０１−２，・・・，２０１−５…表示部、２０２−１，２０２−２，・・・，２０２−５…出力端子、２０３−１，２０３−２，・・・，２０３−５…抽出部、２０４−１，２０４−２，・・・，２０４−５…表示制御部、３０，３０ａ，３０ｂ，３０ｃ，３０ｄ，３０ｅ…ミキサ、３０１−１，３０１−２，・・・，３０１−５，３０１ｄ−１，３０１ｄ−２，・・・，３０１ｄ−５，３０１０ｄ，３０１０ｅ…表示部、３０２−１，３０２−２，・・・，３０２−５…入力端子、３０２−６…出力端子、３０３−１，３０３−２，・・・，３０３−５，３０３ａ−１，３０３ｂ−１，３０３ｃ−１…抽出部、３０４−１，３０４−２，・・・，３０４−５…表示制御部、３０５−１，３０５−２，・・・，３０５−６，３０５ｃ−１，３０５ｃ−６…操作部、３０６−１，３０６−２，・・・，３０６−６，３０６ｂ−１…信号処理部、３０７…加算部、３０８…制御部、３０９…記憶部、３１１ａ−６…再重畳部、４０…パワーアンプ、５０…スピーカ、６０，６０−１，６０−２，６０ａ…識別情報重畳装置、６０１…表示部、６０２−１…入力端子、６０２−１Ｌ…Ｌｃｈ用入力端子、６０２−１Ｒ…Ｒｃｈ用入力端子、６０２−２…出力端子、６０２−２Ｌ…Ｌｃｈ用出力端子、６０２−２Ｒ…Ｒｃｈ用出力端子、６０５…操作部、６０６，６０６ａ…重畳部、６０８…制御部、６０９…記憶部、１１０…キーボード、１２０…マイク、１３０…ドラム、１４０…ギター、１５０…ベース
【図１】
2010034983.tif 000003
【図２】
2010034983.tif 000004
【図３】
2010034983.tif 000005
【図４】
2010034983.tif 000006
【図５】
2010034983.tif 000007
【図６】
2010034983.tif 000008
【図７】
2010034983.tif 000009
【図８】
2010034983.tif 000010
【図９】
2010034983.tif 000011
【図１０】
2010034983.tif 000012
【図１１】
2010034983.tif 000013
【図１２】
2010034983.tif 000014
【図１３】
2010034983.tif 000015
【図１４】
2010034983.tif 000016
【図１５】
2010034983.tif 000017
【図１６】
2010034983.tif 000018